Podtech/llm-jp-corpus-v4-ja_patent huggingface dataset:
(57)【要約】      （修正有）【課題】広い場所を必要としない、運搬時、収納時にコンパクトになるように、持ち手部分を取り外し可能にした、たが締め側板組み・底板嵌め込み岡持ち木桶・小判型岡持ち木桶・持ち手付き木桶を提供する。【解決手段】  たが締め側板組み・底板嵌め込み岡持ち木桶・小判型岡持ち木桶・持ち手付き木桶は、たが締め側板組み２と、底板３、角（つの）板４、５、持ち手板６から成る。持ち手部分の一部分１１に磁石１２を取り付けた板を取り外し可能にすることにより、運搬時、収納時にコンパクトで積み重ね可能な、たが締め側板組み・底板嵌め込み岡持ち木桶・小判型岡持ち木桶・持ち手付き木桶となる。【選択図】  図３
2005280839.tif 000002
【特許請求の範囲】
【請求項１】
たが締め側板組み・底板嵌め込み岡持ち木桶・小判型岡持ち木桶・持ち手付き木桶において、持ち手部分が取り外しできることを特徴とするたが締め側板組み・底板嵌め込み岡持ち木桶・小判型岡持ち木桶・持ち手付き木桶。
【請求項２】
請求項１に記載のたが締め側板組み・底板嵌め込み岡持ち木桶・小判型岡持ち木桶・持ち手付き木桶において、積み重ねができるようにし、コンパクトに収納、運搬できることを特徴とするたが締め側板組み・底板嵌め込み岡持ち木桶・小判型岡持ち木桶・持ち手付き木桶。
【発明の詳細な説明】
【技術分野】
【０００１】  本発明は、たが締め側板組み・底板嵌め込み岡持ち木桶・小判型岡持ち木桶・持ち手付き木桶等の食器等の持ち手付き木桶に関し、特に、たが締め側板組み・底板嵌め込み岡持ち木桶・小判型岡持ち木桶・持ち手付き木桶等の持ち手に関する。
【背景技術】
【０００２】  従来のたが締め側板組み・底板嵌め込み岡持ち木桶・小判型岡持ち木桶・持ち手付き木桶は、図１に示す如く、たが締め側板組み２と、底板３、角（つの）板４、５、持ち手板６から成る。たが締め側板組み２は多数枚の短冊状板１の両端面に接着剤を塗布し、接ぎ合わせて輪状に寄せ木組みした後、たが（金輪，締め輪）７、８を嵌め込む。底板３も多数枚の板１０の両端面に接着剤を塗布し、接ぎ合わせ寄せ木組みして円盤状に切り抜いたものである。底板嵌め込み溝９に接着剤を塗布し、底板嵌め込み溝９へ底板３を嵌め込む。たが締め側板組み２の両端面に角（つの）板４、５を向い合わせて取り付け、角（つの）板４、５の一部分には持ち手板６が通る穴を貫通させ、持ち手板６を取り付ける。必要に応じ、たが締め側板組み・底板嵌め込み岡持ち木桶・小判型岡持ち木桶・持ち手付き木桶の表面には、油性塗料表面処理、天然樹脂塗料表面処理、合成樹脂塗料表面処理、紫外線硬化塗料表面処理等が施され、たが締め側板組み・底板嵌め込み岡持ち木桶・小判型岡持ち木桶・持ち手付き木桶となるが、収納時に持ち手６が固定式で取り外し不可能の為、積み重ねが不可能という問題があった。又、運搬時、収納時にコンパクトにならないという問題もあった。
【発明の開示】
【発明が解決しようとする課題】
【０００３】  本発明は、上記問題点に鑑み、運搬時、収納時にコンパクトになるよう、持ち手取り外し可能積み重ね式たが締め側板組み・底板嵌め込み岡持ち木桶・小判型岡持ち木桶・持ち手付き木桶等を提供することを目的としている。
【課題を解決するための手段】
【０００４】  上記目的を達成するため、本発明の講じた手段は、図３のたが締め側板組み・底板嵌め込み岡持ち木桶・小判型岡持ち木桶・持ち手付き木桶おいて、持ち手部分６の一部分の板１１を持ち手６の一部分の板１４より取り外し可能し、又、図４の使用状態を示した参考図のように積み重ね可能にし、コンパクトに収納、運搬できることを特徴とするものである。
【発明の効果】
【０００５】  本発明は、以上のように持ち手取り外し式積み重ね可能構造であるから、以下に記載されるような効果を奏する。
従来のたが締め側板組み・底板嵌め込み岡持ち木桶・小判型岡持ち木桶・持ち手付き木桶は持ち手６が固定式で取り外し不可能なことにより積み重ねが不可能であった。本発明のたが締め側板組み・底板嵌め込み岡持ち木桶・小判型岡持ち木桶・持ち手付き木桶にあっては、持ち手６の一部分の板１１が持ち手６の一部分の板１４より取り外し式構造であるから、積み重ねが可能になり、限られた面積・容積の収納場所により多く収納することが可能となる。
又、運搬において従来は持ち手６が固定式で取り外し式でなかった為、一度に多くの商品を運搬することができなかったが、本発明により多くの商品を一度に運ぶことが可能となり、商品一台当たりの運搬経費の削減が可能となる。
【発明を実施するための最良の形態】
【０００６】  本発明は図４の使用状態を示した参考図で示す通り、積み重ねて運搬、又は、収納することができる。
【実施例】
【０００７】  実施例について図面を参照して説明すると、図３の持ち手６の一部分の板１１の先端に機械等を用い穴を開け、磁石１２を埋め込み取り付ける。角（つの）板４に固定されている持ち手６の一部分の板１４にも機械等を用い穴を開け、磁石に付着可能金属類１３を角（つの）板４に固定されている持ち手６の一部分の板１４に埋め込み取り付ける。たが締め側板組み・底板嵌め込み岡持ち木桶・小判型岡持ち木桶・持ち手付き木桶を使用する時は、磁石１２は磁石に付着可能金属類１３に付着させ、持ち手取り外し式たが締め側板組み・底板嵌め込み積み重ね岡持ち木桶・小判型岡持ち木桶・持ち手付き木桶として使用する。又、持ち手６の一部分の板１１を、持ち手６の一部分の板１４より抜き取れば、積み重ね可能な、たが締め側板組み・底板嵌め込み岡持ち木桶・小判型岡持ち木桶・持ち手付き木桶となる。
本発明は上記のように磁石１２を取り付けた持ち手６の一部分の板１１を、持ち手６の一部分の板１４に取り付けたり外したりして使用する。
【図面の簡単な説明】
【０００８】
【図１】  従来のたが締め側板組み・底板嵌め込み岡持ち木桶・小判型岡持ち木桶・持ち手付き木桶を示した斜視図である。
【図２】  従来のたが締め側板組み・底板嵌め込み岡持ち木桶・小判型岡持ち木桶・持ち手付き木桶における、たが締め側板組みと底板嵌め込み状態を示した断面図である。
【図３】  本発明の実施例に係る、たが締め側板組み・底板嵌め込み岡持ち木桶・小判型岡持ち木桶・持ち手付き木桶を示した断面図である。
【図４】  本発明の使用状態を示した参考図である。
【符号の説明】
【０００９】  １  多数枚の短冊状板
２  たが締め側板組み
３  底板
４  角（つの）板
５  角（つの）板
６  持ち手板
７  たが（金輪，締め輪）
８  たが（金輪，締め輪）
９  底板嵌め込み溝
１０多数枚の板
１１持ち手部分６の一部分の板
１２磁石
１３磁石に付着可能金属類
１４持ち手６の一部分の板
【図１】
2005280839.tif 000003
【図２】
2005280839.tif 000004
【図３】
2005280839.tif 000005
【図４】
2005280839.tif 000006
(57)【要約】【課題】本発明は、日常取り扱う容器に付いている栓、ネジじめを個人の感覚でさまざまの強さでしめているために生じる事故を解決するためのものである。【解決の手段】本発明の、締め付け過不足防止機構付き二重構造プラスティックネジ栓を使用、締め付け過不足による事故を、防ぐものである。【選択図】      「図１」
2005280836.tif 000002
【特許請求の範囲】
【請求項１】
締め付け過不足防止機構付き二重構造プラスティックネジ、栓。
【請求項２】
請求項１に於いて、締め付け過不足防止機構付き二重構造プラスティックネジ、栓のカム機構。
【発明の詳細な説明】
【技術分野】
【０００１】本発明は、ネジ、栓の締め付け過不足を防止するために発明されたものである。【０００２】本発明は、ネジ、栓の締め付け過不足を音で確認するために発明されたものである。【０００３】本発明は、ネジ、栓の締め付け過不足による容器、部品破損事故を防ぐために発明されたものである。【０００４】本発明は、ネジ、栓を適切なトルクで締めることにより内容物の揮発、漏れ事故等を防止するために発明されたものである。
【背景技術】
【０００５】特許番号、特許３４７２２０１
【発明の開示】
【発明が解決しようとする課題】
【０００６】ネジ締め付け感覚は、各個人によって様々で、締め付け過不足が起き、感覚を一定化することは、困難である。締め付け過不足のため容器の破損、関連部品の破損、内容物の漏れ、液の揮発、等の事故が発生する。工業工具には、トルク計測工具が多用されているが、日常生活に使用できるものではない。本発明は、締め付けの過不足による事故防止に寄与するものである。
【課題を解決するための手段】
【０００７】締め付け過不足防止機構付き二重構造プラスティックネジ、栓、カム機構
【発明の効果】
【０００８】一般に、締め付けで機能しているネジ、栓は、締まり具合を個人感覚に頼っている。機械工具には、事故防止のための締め具合の計測機器があるが、日常生活用品のネジ、栓に、締め付け過不足防止機構が組み込まれていれば、破損、漏れ、事故を防止、より安全な、より確実な、日常生活を送れる。
【発明を実施するための最良の形態】
【０００９】締め付けトルク調整は、カム機構高径、直径、カム数、等により、行なう。より強い締め付けトルクが必要なとき、又は、破損したとき内冠外縁をキャップ下縁に露出してあり、カム機構を介さず直接締め付けできる。
【実施例】
【００１０】防湿・防揮発・炭酸飲料容器の栓。止水栓。
【図面の簡単な説明】
【００１１】
【図１】立体図
【符号の説明】
▲１▼外キャップ
▲２▼内キャップ
▲３▼編心防止軸
▲６▼編心防止軸受け
▲７▼内側キャップ
【００１２】
【図２】
水平断面図
【符号の説明】
▲３▼編心防止軸
▲４▼内側カム
▲５▼外側カム
【００１３】
【図３】
垂直断面図
【符号の説明】
▲１▼外キャップ
▲７▼内側キャップ
【図１】
2005280836.tif 000003
【図２】
2005280836.tif 000004
【図３】
2005280836.tif 000005
(57)【要約】【課題】  紙筒１０から直管形蛍光ランプ２０を簡単に取り出すことのできる包装体を提供する。【解決手段】  直管形蛍光ランプ２０を備える。直管形蛍光ランプ２０を収納する紙筒１０を備える。紙筒１０における長手方向に沿った途中に、該紙筒１０を長手方向に沿った一方の部分紙筒１５と他方の部分紙筒１５に分離するためのミシン目１９を形成する。【選択図】    図１
2005280833.tif 000002
【特許請求の範囲】
【請求項１】
直管形蛍光ランプを備え、前記直管形蛍光ランプを収納する紙筒を備え、前記紙筒における長手方向に沿った途中に、該紙筒を長手方向に沿った一方の部分紙筒と他方の部分紙筒に分離するためのミシン目を形成したことを特徴とする蛍光ランプ包装体。
【発明の詳細な説明】
【技術分野】
【０００１】  本発明は、直管形蛍光ランプを備え、前記直管形蛍光ランプを収納する紙筒を備えた蛍光ランプ包装体に関するものである。
【背景技術】
【０００２】  図１２〜図１５を用いて従来包装体について説明する。図１２のように、同包装体は直管形蛍光ランプ２０を備える。直管形蛍光ランプ２０を収納する紙筒１００を備える。紙筒１００は断面角形である。現場で直管形蛍光ランプ２０を使用する場合は、図１３・図１４・図１５の要領で紙筒１００から直管形蛍光ランプ２０を取り出す。図１３のように、左手Ｌで包装体を軽く握る。紙筒１００内側の直管形蛍光ランプ２０を強くは拘束しない程度の握りである。右手Ｒの人差し指等で直管形蛍光ランプ２０を長手方向左向きに押し出す。図１４のように、直管形蛍光ランプ２０の左端露出部を左手Ｌで握り、右手Ｒで紙筒１００を右方向へ取り除き、図１５のように直管形蛍光ランプ２０・紙筒１００を分離する。
【発明の開示】
【発明が解決しようとする課題】
【０００３】  図１３の作業がやり難い。左手Ｌでしっかり握れない。また、右手Ｒの人差し指等で直管形蛍光ランプ２０をその長手方向へ押し出すことが必要である。本発明の目的は紙筒から直管形蛍光ランプを簡単に取り出すことのできる包装体を提供することである。
【課題を解決するための手段】
【０００４】  本発明の包装体は直管形蛍光ランプを備える。前記直管形蛍光ランプを収納する紙筒を備える。前記紙筒における長手方向に沿った途中に、該紙筒を長手方向に沿った一方の部分紙筒と他方の部分紙筒に分離するためのミシン目を設ける。
【発明の効果】
【０００５】  本発明によれば、前記紙筒のミシン目のところから、該紙筒長手方向に沿った一方の部分紙筒と他方の部分紙筒に分離することができるため、中の直管形蛍光ランプを簡単に取り出すことができる。
【発明を実施するための最良の形態】
【０００６】  図１および図９を用いて本発明の実施形態について説明する。本発明に係る包装体は図１・図２等のように、直管形蛍光ランプ２０を備える。直管形蛍光ランプ２０を収納する紙筒１０を備える。紙筒１０における長手方向に沿った途中に、該紙筒１０を長手方向に沿った一方の部分紙筒１５と他方の部分紙筒１５に分離するためのミシン目１９を形成する。本実施例の紙筒１０の断面は四角であり、ミシン目１９は筒周りを巡る。ミシン目１９は飛び飛びの多数の小孔である。２５は直管形蛍光ランプ２０両端の口金部である。
紙筒１０から直管形蛍光ランプ２０を取り出す手順は図６〜図９の通りである。
図６：包装体におけるミシン目１９の両側に左手Ｌ・右手Ｒを添える。左手Ｌでしっかり握る。右手Ｒで軽く握る。右手Ｒの握りは紙筒１０内部の直管形蛍光ランプ２０を強く拘束しない程度である。
図７：右手Ｒでミシン目１９の箇所から右側部分紙筒１５を切り離す。ミシン目１９の箇所から右側部分紙筒１５を切り離す際は、右手Ｒで右側部分紙筒１５を右方向へ強めに引っ張るか、右側部分紙筒１５を直管形蛍光ランプ２０回りに回転させ、捻じ切る。
図８：右側部分紙筒１５を分離する。直管形蛍光ランプ２０の露出箇所を右手Ｒでしっかり握り、左手Ｌで左側部分紙筒１５を取り外す。
図９：かくして、紙筒１０（左右の部分紙筒１５）から直管形蛍光ランプ２０が分離する。
図１０は他の実施形態である。先の実施形態：図１との違いは紙筒１０における中央部ではなく右端寄りにミシン目１９を設けたことである。この場合は、ミシン目１９右側の部分紙筒１５が小形であるため、これを簡単に取り外すことができる。
図１１は別の実施形態である。紙筒１０の右端寄りにミシン目１９を設け、さらに左側寄りに別のミシン目１９を設けてある。この場合は長手方向の一方・他方に方向性がないために、その何れの側にミシン目１９があるのかを探す必要がなく、作業が特に容易となる。
本発明によれば、紙筒１０のミシン目１９のところから、紙筒長手方向に沿った一方の部分紙筒と他方の部分紙筒に簡単に分離することができる。その作業は左手Ｌ・右手Ｒの一方で包装体を強く握ったままでよい。また、一方の部分紙筒を分離することによって露出する直管形蛍光ランプ２０の露出箇所を一方の手ＬまたはＲで強く握った状態で他方の部分紙筒１５を分離することができる。このため、紙筒１０の中から直管形蛍光ランプ２０を簡単に取り出すことができる。
【図面の簡単な説明】
【０００７】
【図１】本発明包装体の正面図である。
【図２】同包装体の拡大右側面図である。
【図３】同発包装体の分解正面図である。
【図４】同包装体の要部拡大図である。
【図５】本発明包装体の紙筒分離後の正面図である。
【図６】同包装体におけるランプ取り出し作業を示す正面図である。
【図７】同作業の第２ステップを示す正面図である。
【図８】同作業の第３ステップを示す正面図である。
【図９】同作業の第４ステップを示す正面図である。
【図１０】他の実施例に係る本発明包装体の正面図である。
【図１１】別の実施例に係る本発明包装体の正面図である。
【図１２】従来の包装体の正面図である。
【図１３】同従来包装体におけるランプ取り出し作業を示す正面図である。
【図１４】同作業の第２ステップを示す正面図である。
【図１５】同作業の第３ステップを示す正面図である。
【符号の説明】
１０：紙筒
１５：部分紙筒
１９：ミシン目
２０：直管形蛍光ランプ
２５：口金部
Ｌ：左手
Ｒ：右手
【図１】
2005280833.tif 000003
【図２】
2005280833.tif 000004
【図３】
2005280833.tif 000005
【図４】
2005280833.tif 000006
【図５】
2005280833.tif 000007
【図６】
2005280833.tif 000008
【図７】
2005280833.tif 000009
【図８】
2005280833.tif 000010
【図９】
2005280833.tif 000011
【図１０】
2005280833.tif 000012
【図１１】
2005280833.tif 000013
【図１２】
2005280833.tif 000014
【図１３】
2005280833.tif 000015
【図１４】
2005280833.tif 000016
【図１５】
2005280833.tif 000017
(57)【要約】  【課題】  赤外線リモコン信号を上方に向けて送信可能なリモコン送信装置を提供する。  【解決手段】  転倒しても自動的に起き上がる樹脂外殻などのハウジング１を備え、そのハウジング１の好ましくは上部において上方に向かって赤外線リモコン信号２を送信可能な赤外線送信素子(IR-LED)３を配備したリモコン送信装置Ａである。そして、ハウジング１の内部に、無線送受信部４、マイコン５、ドライブ回路６などの制御回路７と、トランスを含む直流電源８を備え、この直流電源８をハウジング１の底部付近に配備して低重心化している。【選択図】  図２
2005057455.tif 000002
【特許請求の範囲】
【請求項１】
転倒しても自動的に起き上がるハウジングを備え、そのハウジングに上方に向かって赤外線リモコン信号を送信可能な赤外線送信素子を配備したリモコン送信装置。
【請求項２】
請求項１において、ハウジングの内部に、制御回路と、トランスを含む直流電源を備え、この直流電源をハウジングの底部付近に配備したリモコン送信装置。
【発明の詳細な説明】
【技術分野】
【０００１】
本発明は、照明器具の制御に好適なリモコン送信装置に関する。
【背景技術】
【０００２】
照明器具を点滅制御するために、ハウジングに上方に向かって赤外線リモコン信号を送信可能な赤外線送信素子を配備したリモコン送信装置は、特許文献１などで知られている。
【特許文献１】特開２００１−２８５９７０号公報
【発明の開示】
【発明が解決しようとする課題】
【０００３】
しかし、リモコン送信装置が不用意に転倒されたときは、赤外線リモコン信号の送信方向が横向きになったりして、天井側の照明器具のリモコン信号受信部に到達しにくい。殊に、タイムスケジュールに基づいて赤外線リモコン信号を送信するようにリモコン送信装置が設定されていると、点灯予定時刻になっても照明器具が点灯しない弊害を生じる。また、最近のように、電話回線やインターネットなどの通信回線を介して、外部から宅内の照明器具を制御するような場合でも、リモコン送信装置が転倒していると具合が悪い。本発明はこのような解決すべき課題を鑑み、赤外線リモコン信号を上方に向けて送信可能なリモコン送信装置を提供することを目的とする。
【課題を解決するための手段】
【０００４】
本発明を要約すると、転倒しても自動的に起き上がるハウジングを備え、そのハウジングに上方に向かって赤外線リモコン信号を送信可能な赤外線送信素子を配備したリモコン送信装置である。そして、ハウジングの内部に、制御回路と、トランスを含む直流電源を備えている場合、この直流電源をハウジングの底部付近に配備すると低重心になって好ましい。
【発明の効果】
【０００５】
本発明のリモコン送信装置は、不用意に倒されても再び自動的に起き上がるため、赤外線リモコン信号を上方に向けて送信可能となり、照明器具などを的確に制御できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図の実施形態は、転倒しても自動的に起き上がる樹脂外殻などのハウジング１を備え、そのハウジング１の好ましくは上部において上方に向かって赤外線リモコン信号２を送信可能な赤外線送信素子(IR-LED)３を配備したリモコン送信装置Ａを示す。そして、ハウジング１の内部に、無線送受信部４、マイコン５、ドライブ回路６などの制御回路７と、かなり重量のあるトランスを含む直流電源８を備え、この直流電源８をハウジング１の底部付近に配備して低重心化している。
【０００８】
さらに詳述すれば、リモコン送信装置Ａは住宅の部屋９の床１０などに置かれて使用される。そして、リモコン送信装置Ａが何らかの原因で転倒されても、リモコン送信装置Ａの重心がハウジング１と床１０の接する点に立ち上げた法線を乗り越えないように、前記重心が設定されていると、リモコン送信装置Ａは自動的に起き上がるものである。部屋９の天井１１には照明器具１２が設置されている。そして、照明器具１２の透光グローブ１３の内部には赤外線リモコン信号２を受信可能なリモコン信号受信部１４が設けられている。さらに、部屋９にはインターネットや電話回線などの通信回線１５と接続されているメインコントローラ１６が設置され、メインコントローラ１６は例えば、インターネットからなる通信回線１５と接続されるゲートウェイ１７と無線送受信部１８を備えている。そうすると、リモコン送信装置Ａはメインコントローラ１６からの制御信号で制御されるローカルコントローラの役割を果たしている。さらに、メインコントローラ１６を制御するために、携帯端末などの外部端末１９から無線電波を発して基地局２０と通信回線１５を介して制御信号を送るとよい。なお、リモコン送信装置Ａには電源コード２１を介して交流電源が供給されている。
【０００９】
照明器具１２を点滅制御するには、外部端末１９より基地局２０と通信回線１５を介してメインコントローラ１６に制御信号を送る。そうすると、メインコントローラ１６の無線送受信部１８はリモコン送信装置Ａに対して無線電波による制御信号を送る。この制御信号はリモコン送信装置Ａの無線送受信部４で受信されてマイコン５で解読され、ドライブ回路６を介して赤外線送信素子３から赤外線リモコン信号２が送信される。そうすると、照明器具１２のリモコン信号受信部１４は赤外線リモコン信号２を受信解読して、照明器具１２が点灯または消灯制御される。
【００１０】
本実施形態のリモコン送信装置Ａは、転倒しても自動的に起き上がるハウジング１を備え、不用意に倒されても再び自動的に起き上がるため、赤外線リモコン信号２を上方に向けて送信可能となり、照明器具１２などを的確に制御できる。なお、通信回線１５が電話回線の場合は、ゲートウェイ１７の代わりにいわゆる回線制御装置を用いるとよい。また、マイコン５にタイムスケジュール動作機能を持たせることにより設定時刻に赤外線リモコン信号２を送信させて、照明器具１２を点灯または消灯制御するようにしてもよい。また、リモコン送信装置Ａを直接的に通信回線１５に無線または有線接続できるようにしてもよい。
【図面の簡単な説明】
【００１１】
【図１】リモコン送信装置を含むシステム系統図
【図２】リモコン送信装置の透視外観図
【図３】リモコン送信装置を含む回路ブロック図
【符号の説明】
【００１２】
１  ハウジング
２  赤外線リモコン信号
３  赤外線送信素子(IR-LED)
４  無線送受信部
５  マイコン
６  ドライブ回路
７  制御回路
８  直流電源
【図１】
2005057455.tif 000003
【図２】
2005057455.tif 000004
【図３】
2005057455.tif 000005
(57)【要約】      （修正有）【課題】窓に取付けても、部屋の景観を著しく損なわない。【解決手段】太陽電池モジュール１の裏側に装飾用シート２の絵画や写真、ポスターを貼付け、装飾用シートカバー３で表面をカバーする。端部はフレーム４と押えフレーム５をビスにて固定される。太陽電池モジュール１の表側を外に向きにして、本発明品を窓際に取付けると、太陽電池モジュール１が光を受けて、発電する。【選択図】  図１
2005057226.tif 000002
【特許請求の範囲】
【請求項１】
太陽電池モジュールの裏側に装飾シート取付装置を具備した太陽電池。
【発明の詳細な説明】
【技術分野】
【０００１】この発明は、太陽電池と装飾用パネルの技術分野に属する。
【技術背景】
【０００２】従来の太陽電池モジュールは裏側に電極配線が見えていたり、樹脂製のバックシートが貼られているだけであった。
【特許の開示】
【発明が解決しようとする課題】
【０００３】従来の太陽電池モジュールは裏側に電極配線が見えていたり、樹脂製のバックシートが貼られているだけで、見た目に良くなかった。そのために、太陽電池モジュールを窓に取付けると、部屋の景観を著しく損なう事があった。
この発明は、以上の課題を解決するためのものである。
【課題を解決するための手段】
【０００４】太陽電池モジュール（１）の裏側に装飾用シート（２）の絵画や写真、ポスターを取付ける。
【発明の効果】
【０００５】（イ）太陽電池モジュール（１）の裏側に装飾用シート（２）の絵画や写真、ポスターを取付ける事により、裏側の意匠性を向上させ、室内に太陽電池モジュール（１）を設置していても部屋の景観を損なう事がないので、太陽電池モジュール（１）の設置範囲が広がる。
（ロ）発電の必要なときには、外光の入る窓際に吊り下げる。発電が必要のないときには、裏側に取付けた絵画や写真、ポスターを別の所で飾ることができる。
（ハ）太陽電池モジュール（１）の補強用に端部に設置されるフレーム（４）を装飾用シート（２）を飾る時の額縁として使用して、コストも抑えることができる。
【発明を実施するための最良の形態】
【０００６】本発明品の実施の形態について図１を用いて説明する。
本発明品の基本構造は、太陽電池モジュール（１）の裏側に、装飾用シート（２）を貼り付け、装飾用シートカバー（３）で表面をカバーする。端部はフレーム（４）と押えフレーム（５）をビスにて固定される。太陽電池モジュール（１）の表側を外に向きにして、本発明品を窓際に取付けると、太陽電池モジュール（１）が光を受けて、発電する。装飾用シート（２）には絵画や写真、ポスターなどシート状の物であれば何でも用いることができる。フレーム（４）押えフレーム（５）は元々太陽電池モジュール（１）の補強用に使用されている物を転用して、材料を増やすことなく装飾用シート（２）の額縁の役割を果たす事ができる。
【実施例１】
【０００７】図２に示す様に、本発明品には、紐（６）が付いており、窓際に取付けたフック（７）に吊り下げられるようになっている。
【実施例２】
【０００８】図３に示す様に、本発明品の表側に、吸盤（８）が付いており、部屋の内側から直接窓ガラスに取付ける事ができる。
【実施例３】
【０００９】図４に示す様に、装飾用シート（２）は装飾用シートカバー（３）を外して、簡単に交換する事ができる。また、装飾用シート（２）は直接太陽電池モジュール（１）の裏側に貼り付けることにより、装飾用シートカバー（３）を取付けなくてもよ
【産業上の利用可能性】
【００１０】本発明品は、太陽電池モジュール（１）の裏側が室内から見える時に、室内の景観を損なうために太陽電池モジュール（１）の設置を控える事がなくなり、太陽電池が広く普及できる。また、装飾用シート（２）は、太陽電池モジュール（１）に後から取付けるので、太陽電池モジュール（１）の基本性能、品質を損なう事がない。
【図面の簡単な説明】
【００１１】
【図１】本発明品の断面図である。
【図２】本発明品を紐で吊り下げた斜視図である。
【図３】本発明品の表側に吸盤が取付けてある斜視図である。
【図４】本発明品の押えフレームと装飾用シートカバーを取外し、装飾用シートを取出した斜視図である。
【符号の説明】
【００１２】  １  太陽電池モジュール
２  装飾用シート
３  装飾用シートカバー
４  フレーム
５  押えフレーム
６  紐
７  フック
８  吸盤
【図１】
2005057226.tif 000003
【図２】
2005057226.tif 000004
【図３】
2005057226.tif 000005
【図４】
2005057226.tif 000006
(57)【要約】【課題】お風呂のように湿気が大変多い場所でもテレビを見ることができる、そして風雨にさらされる屋外にも設置出来るテレビ収納箱。【解決手段】テレビ収納箱を湿気の多い環境より完全密閉し、テレビ収納箱を冷、温蔵庫としテレビに最適な温度設定を出来るようにすることによって、どのような場所にも置けるようになる。【選択図】図２
2005057225.tif 000002
【特許請求の範囲】
【請求項１】
前面の扉に透明な（二重）ガラスやアクリルボードなどを取り付けた、吸収式冷却タイブの冷却（加熱）システム等を備えた、テレビを収納する為の、断熱密閉を強化した冷温蔵庫（（氷点下になるところでは温蔵庫に切り替える））（コンプレッサーを使用するタイプでも良い）
【発明の詳細な説明】
【発明の繊細な説明】
【技術分野】
【０００１】熱と湿気を防ぐための対策技術です。
お風呂のように湿気の多い場所では普通のテレビは使用できません。湿気は電気製品にとって漏電や故障の原因であり、またテレビから発生する熱も問題点となる。
【背景技術】
【０００２】お風呂専用テレビ又は、サウナの様にテレビを置く専用の小部屋を作らなければ置けませんでした。そして高価格です。
【発明が解決しようとしている課題】
【０００３】お風呂場の高温、湿度、テレビから放射される熱です。テレビにとって安全の範囲内の湿度、温度にすること。
【課題を解決するための手段】
【０００４】    湿気を防止して、テレビの画面が見える様にした断熱材入りの密閉型の冷（温）蔵庫型テレビ収納箱１３、湿度は密閉することによって防げます。テレビから発生する熱はテレビを収納する箱を、（吸収式冷却タイプ等の）冷（温）蔵庫にして、温度調節機能を２０〜３０℃ぐらいでそれ以上温度が上昇するのを防ぐように冷房の設定する。また氷点下になるような場所では５℃以下にならぬよう暖房が入るようにするが、１０〜１５℃で切れるようにする。温度調節１０は収納するテレビに合わせられる様にする。
【発明を実施するための最良の形態】
【０００５】以下、本発明の実施の形態について説明する。
（イ）、断熱した素材でテレビを収納する箱１３を作り、テレビを入れることが出来るようにする。前扉１１をテレビの画面が見えるようにする。
（ロ）、テレビを収納する箱１３を冷（温）蔵庫１３として作る。
（ハ）、冷却部（温熱部）５の下に水滴受け皿６をおきテレビ収納箱１３の背面の断熱材４の中を通して排出口３より、冷却部５に付く水滴を外部にだす。これでテレビ収納箱１３の湿度を下げることが出来ます。排出口３に、水を通して空気を遮るフィルター２を取り付けます。
（ニ）、テレビ収納箱１３にテレビの電源などの外部スイッチ１０を取り付ける。
（ホ）、冷却部５を上部に設置することによって省エネが得られます。
【発明の効果】
【０００６】普通のテレビでも液晶テレビでも、お風呂専用テレビでなくともお風呂で見ることができます。故障したり古くなったら、収納箱に入る大きさのテレビならいつでも交換できます。
【図面の簡単な説明】
【図１】  テレビ収納箱１３の正面図（透視図）である。
【図２】  テレビ収納箱１３の立体図である。
【符号の説明】
１  クーラー＆ウォーマー本体部分
２  水を排出でき空気を遮るフィルター
３  排出口
４  断熱材
５  冷却＆温熱部
６  水滴を受け皿
７  放熱板
８  ファン
９  電源コンセント
１０  外部スイッチ（電源、温度調整）
１１  透明な扉
１２  空気穴
１３  テレビ収納箱本体
【図１】
2005057225.tif 000003
【図２】
2005057225.tif 000004
(57)【要約】【課題】本発明は、ステータ巻線とケースとの間の空隙をポッティング剤で埋めることにより、ステータ巻線等からの発熱を高効率に放熱することを目的とする。【解決手段】本発明によるステータの放熱構造は、カップ状をなすケース（１）内にステータ巻線（６）を有する輪状ステータ（７）を内設し、このステータ巻線（６）とケース（１）との間にポッティング剤（１１）を充填し、ステータ巻線（６）等の発熱が直接ケース（１）に伝達されて高効率に放熱される構成である。【選択図】        図２
2005057840.tif 000002
【特許請求の範囲】
【請求項１】
全体形状がカップ型をなすケース（１）の内側に、ステータ巻線（６）を有する輪状ステータ（７）を内設したステータにおいて、
前記ステータ巻線（６）と前記ケース（１）との間にポッティング剤（１１）を充填させたことを特徴とするステータの放熱構造。
【請求項２】
前記ケース（１）の内面（４ａ）に形成され軸方向に沿って突出する輪状突部（５）を有し、前記輪状突部（５）は前記ステータ巻線（６）の巻線内面（６ａ）側に位置し、前記巻線内面（６ａ）と前記輪状突部（５）との間には、前記ポッティング剤（１１）が設けられていることを特徴とする請求項１記載のステータの放熱構造。
【請求項３】
前記ケース（１）のケース周面（１ａ）に形成された開口（２）を有し、前記開口（２）を経て前記ポッティング剤（１１）が前記ケース（１）内に供給され、前記開口（２）には栓（３）が設けられていることを特徴とする請求項１又は２記載のステータの放熱構造。
【請求項４】
前記輪状ステータ（７）のステータ周面（７ａ）には、軸方向に沿って形成された複数の溝（１０）を有し、前記溝（１０）内には前記ポッティング剤（１１）が流れ込んでいることを特徴とする請求項１ないし３の何れかに記載のステータの放熱構造。
【発明の詳細な説明】
【０００１】
【発明の属する技術分野】
本発明は、ステータの放熱構造に関し、特に、ステータ及びステータ巻線とケースの内面との間にポッティング剤を供給して充填することにより、放熱効果を向上させるための新規な改良に関する。
【０００２】
【従来の技術】
従来、用いられていたこの種のステータ構造としては、例えば、モータエンコーダ（特許文献１に開示）におけるステータにおいては、輪状ステータのステータ巻線とケースの内面との間は空隙によって形成されていた。
【０００３】
【特許文献１】
特開２０００−５０５６９号公報
【０００４】
【発明が解決しようとする課題】
従来のステータは、以上のように構成されていたため、次のような課題が存在していた。
すなわち、ステータ巻線とケースとの間に空間が形成されていたため、ステータ及びステータ巻線の発熱が、この空間を経てケースに伝達され、放熱されることになり、放熱効率が低く、大電流を印加してモータをフルパワーで駆動することが困難であった。
【０００５】
本発明は、以上のような課題を解決するためになされたもので、特に、ステータ及びステータ巻線とケースの内面との間にポッティング剤を供給して充填することにより、放熱効果を向上させるようにしたステータの放熱構造を提供することを目的とする。
【０００６】
【課題を解決するための手段】
本発明によるステータの放熱構造は、全体形状がカップ型をなすケースの内側に、ステータ巻線を有する輪状ステータを内設したステータにおいて、前記ステータ巻線と前記ケースとの間にポッティング剤を充填させた構成であり、また、前記ケースの内面に形成され軸方向に沿って突出する輪状突部を有し、前記輪状突部は前記ステータ巻線の巻線内面側に位置し、前記巻線内面と前記輪状突部との間には、前記ポッティング剤が設けられている構成であり、また、前記ケースのケース周面に形成された開口を有し、前記開口を経て前記ポッティング剤が前記ケース内に供給され、前記開口には栓が設けられている構成であり、また、前記輪状ステータのステータ周面には、軸方向に沿って形成された複数の溝を有し、前記溝内には前記ポッティング剤が流れ込んでいる構成である。
【０００７】
【発明の実施の形態】
以下、図面と共に本発明によるステータの放熱構造の好適な実施の形態について説明する。
図１及び図２において、符号１で示されるものは、全体形状がほぼカップ型をなすケースであり、このケース１のケース周面１ａの一部には、貫通状の開口２が形成され、この開口２には栓３が設けられている。尚、この開口２は前記ステータ巻線６及び空隙８に対応して形成されている。
【０００８】
前記ケース１の蓋部４の内面４ａには、このケース１及び蓋部４と一体で、かつ、軸方向に突出する輪状突部５が形成され、この輪状突部５はその肉厚が前記ケース１及び蓋部４の肉厚よりも薄く形成されている。
【０００９】
前記ケース１内には、ステータ巻線６を有する輪状ステータ７が内設されており、このステータ巻線６は、前記ケース１及び蓋部４と輪状ステータ７との間に形成された空隙８内に位置していると共に、前記ステータ巻線６の巻線内面６ａと輪状突部５との間には、わずかな隙間が形成されている。
前記輪状ステータ７のステータ周面７ａには、図１で示されるように、所定角度毎に軸方向に沿って延設された複数の溝１０が形成されている。
【００１０】
次に、輪状ステータ７及びステータ巻線６とケース１との間に樹脂よりなるポッティング剤１１を充填する場合、前記ケース１の栓３を除去して形成される開口２を介して、溶融状のエポキシ樹脂等からなるポッティング剤１１を供給すると、このポッティング剤１１は、ステータ巻線６が位置する空隙８内に供給され、この空隙８からステータ周面７ａ及び輪状突部５の外面側へ供給されて充填される。尚、充填後は、開口２に栓３を挿入する。
【００１１】
前述のポッティング剤１１の充填により、輪状ステータ７及びステータ巻線６は、このポッティング剤１１を介して蓋部４を含むケース１と一体状に結合し、輪状ステータ７及びステータ巻線６から発生する熱は、このポッティング剤１１を介してケース１及び蓋部４に伝達され、従来よりも高効率の放熱を達成することができる。
【００１２】
【発明の効果】
本発明によるステータの放熱構造は、以上のように構成されているため、次のような効果を得ることができる。
すなわち、ケースと輪状ステータ及びステータ巻線との間が、ポッティング剤で充満しているため、輪状ステータ及びステータ巻線とケースとは、一体に結合し、発生熱も直接ケースから放熱され、従来よりも放熱効果を大幅に向上させ、フルパワーによるモータの駆動も可能となる。
【図面の簡単な説明】
【図１】本発明によるステータの放熱構造を示す平面図である。
【図２】図１のＡ−Ａ断面図である。
【符号の説明】
１    ケース
１ａ    ケース周面
２    開口
３    栓
４    蓋部
４ａ    内面
５    輪状突部
６    ステータ巻線
７    輪状ステータ
７ａ    ステータ周面
８    空隙
１０    溝
１１    ポッティング剤
【図１】
2005057840.tif 000003
【図２】
2005057840.tif 000004
(57)【要約】【課題】  電柱や送電線鉄塔などの電力設備に付設されたワイヤを伝わって蛇が昇るのを防止する電力設備の付設ワイヤの昇蛇防止具を提供すること。【解決手段】  円筒体を２つ割りした半円筒体１１ａ、１１ｂの一方の側をヒンジ１２で結合し、他方の側に係着具であるローラ１３と突体１４を設ける。また半円筒体１１ａ、１１ｂにワイヤ２，４が嵌合する嵌合孔１６を形成した仕切板１５を設ける。半円筒体１１ａ、１１ｂの表面には昇蛇防止塗布液を塗布する。ワイヤ２，４に装着すれば、蛇は昇蛇防止液に滑って昇ることはできない。【選択図】        図３
2005057899.tif 000002
【特許請求の範囲】
【請求項１】
円筒を２つ割りした一対の半円筒体と、これらの半円筒体を開閉自在に結合するヒンジと、ヒンジと反対側の開放側を着脱自在に結合する結合具と、半円筒体に一体的に設けられてワイヤの嵌合孔が形成された仕切板とから成り、半円筒体の表面に昇蛇防止塗布液を塗布したことを特徴とする電力設備の付設ワイヤの昇蛇防止具。
【発明の詳細な説明】
【技術分野】
【０００１】
本発明は、電柱や送電線鉄塔などの電力設備の付設ワイヤの昇蛇防止具に関するものである。
【背景技術】
【０００２】
電柱や送電線鉄塔などに蛇が昇り、送電線に接触すると短絡事故を生じ、停電などの原因となる。そこで従来より、電柱や送電線鉄塔などの電力設備には様々な昇蛇防止手段が施されている。
【０００３】
電柱は転倒防止のためにワイヤで支持されている。また送電線鉄塔は、がいし洗浄や防錆塗装などのメンテナンス作業が必要である。そこで送電線鉄塔には、メンテナンス作業者が昇塔降塔する際に命綱の一端の係着具を係着するためのワイヤが鉄柱に沿って付設されている。したがって蛇はこのようなワイヤを伝って電柱や送電線鉄塔を昇ることが可能であり、これにより上記短絡事故を生じることがあった。
【発明の開示】
【発明が解決しようとする課題】
【０００４】
そこで本発明は、電柱や送電線鉄塔などの電力設備に付設されたワイヤを伝わって蛇が昇るのを防止する電力設備の付設ワイヤの昇蛇防止具を提供することを目的とする。
【課題を解決するための手段】
【０００５】
本発明の電力設備の付設ワイヤの昇蛇防止具は、円筒を２つ割りした一対の半円筒体と、これらの半円筒体を開閉自在に結合するヒンジと、ヒンジと反対側の開放側を着脱自在に結合する結合具と、半円筒体に一体的に設けられてワイヤの嵌合孔が形成された仕切板とから成り、半円筒体の表面に昇蛇防止塗布液を塗布した。
【発明の効果】
【０００６】
上記構成の本発明によれば、円筒体をワイヤに装着しておけば、蛇はこれに塗布された昇蛇防止塗布液に滑るので、蛇が昇るのを確実に防止することができる。
【発明を実施するための最良の形態】
【０００７】
以下、本発明の実施の形態を図面を参照して説明する。図１は電柱の正面図、図２は送電線鉄塔の一部正面図、図３はワイヤに装着した昇蛇防止具の斜視図、図４は昇蛇防止具の断面図、図５は昇蛇防止具の半円筒体を開いた状態の部分斜視図、図６（ａ）は昇蛇防止具の結合部が開いた状態の平面図、図６（ｂ）は昇蛇防止具の結合部が閉じた状態の平面図である。
【０００８】
図１において、電柱１はワイヤ２に支持されており、ワイヤ２には昇蛇防止具１０が装着されている。
【０００９】
図２において、３は送電線鉄塔の構成部材である支柱である。支柱３と平行にワイヤ４が配設されており、ワイヤ４には昇蛇防止具１０が装着されている（以上、図３も参照）。このワイヤ４は、上述したメンテナンスのためにメンテナンス作業者が昇塔降塔する際に、身体に着けた命綱の一端の係着具を係着するためのものである。
【００１０】
次に図３〜図６を参照して昇蛇防止具１０について説明する。昇蛇防止具１０は円筒を２つ割りした一対の半円筒体１１ａ、１１ｂから成っている。半円筒体１１ａ、１１ｂの一端部同士はヒンジ１２により開閉（回転）自在に結合されている。図４の鎖線は、半円筒体１１ａ、１１ｂが開いた状態を示している。このヒンジ１２は可撓ヒンジであって、軟質板から成っている。
【００１１】
図６（ａ）において、ヒンジ１２と反対側の開方側の半円筒体１１ｂの内側面には一対のローラ１３が装着されており、これに対向する半円筒体１１ａの内側面には突体１４が装着されている。一対のローラ１３はばね（図示せず）により互いに接合する方向に弾発されている。図６（ｂ）に示すように、ヒンジ１２を中心に半円筒体１１ａ、１１ｂを閉じる方向に回転させて突体１４をローラ１３の間に強制的に篏入させることにより、半円筒体１１ａ、１１ｂは着脱自在に結合される。以上のように、ローラ１３と突体１４は、半円筒体１１ａ，１１ｂの開放側の端部を着脱自在に係着する係着具となっている。このような係着具は公知のものである。
【００１２】
図５において、半円筒体１１ａ、１１ｂには半円板から成る仕切板１５が装着されている。仕切板１５にはワイヤ２，４が嵌合するための嵌合孔１６が半円形に形成されている。半円筒体１１ａ、１１ｂの表面には昇蛇防止塗布液が塗布されている。昇蛇防止塗布液は市販・公知のものであって、これを塗布しておくと蛇は滑る。
【００１３】
この昇蛇防止具１０は上記のような構成より成り、図１および図２に示すようにワイヤ２，４に装着する。すると蛇がこれを伝って昇ろうとしても、昇蛇防止塗布液のために滑って昇ることはできず、したがって上述した短絡事故の発生を防止できる。
【産業上の利用可能性】
【００１４】
本発明に係る電力設備の付設ワイヤの昇蛇防止具は、円筒体をワイヤに装着しておけば、蛇はこれに塗布された昇蛇防止塗布液に滑るので、蛇が昇るのを確実に防止することができるものであり、電柱や送電線鉄塔などの電力設備の付設ワイヤの昇蛇防止具として有用である。
【図面の簡単な説明】
【００１５】
【図１】電柱の正面図
【図２】送電線鉄塔の一部正面図
【図３】ワイヤに装着した昇蛇防止具の斜視図
【図４】昇蛇防止具の断面図
【図５】昇蛇防止具の半円筒体を開いた状態の部分斜視図
【図６】（ａ）昇蛇防止具の結合部が開いた状態の平面図
【図６】（ｂ）昇蛇防止具の結合部が閉じた状態の平面図
【符号の説明】
【００１６】
１  電柱
２，４  ワイヤ
３  支柱
１０  昇蛇防止具
１１ａ，１１ｂ  半円筒体
１２  ヒンジ
１３，１４  係着具
１５  仕切板
１６  嵌合孔
【図１】
2005057899.tif 000003
【図２】
2005057899.tif 000004
【図３】
2005057899.tif 000005
【図４】
2005057899.tif 000006
【図５】
2005057899.tif 000007
【図６】
2005057899.tif 000008
(57)【要約】【目的】  停止加力のまま無限回転エネルギーの実現。【構成】  サンギャと同径の加力ギャ等（チェーン等も使う）を停止したまま、原・添調転により増大させた正自公転を永続的に創出する。〔効果〕  無資源無公害で、停静加力のまま無限回転エネルギーの獲得。【特許請求の範囲】
【請求項１】
本明細書と図面の説明する巻制調転久車の諸作用装置。
【請求項２】
同一車軸の加力ギャ径と停止するサンギャ径等を同一にするため、セットを自公転させながら加力ギャは停止したまま、永久的回転動力を得ること。
【請求項３】
原・添調転で逐次大きな正転力を実現させること。
【発明の詳細な説明】
【発明の詳細な説明】
〔発明の属する技術分野〕  機械技術により無限回転エネルギーを生み、クリーンな発電力等を提供する。  〔従来の技術〕  諸資源等の減少と複雑化、そして莫大な公害を与えた。  〔発明が解決しようとする課題と手段〕  〔図１〕を参考にしながら、先ず原調転の構成から説明する。加力テコ先▲３▼でチェーン等を巻く加力ギャ▲５▼（半径３）を反公転側に引いて、主柄▲１１▼先の主遊星軸▲２０▼の小ギャ（半径０・５）にチェーンで加力し、▲２０▼軸に固定した遊星サンギャ▲２５▼（半径２・５）に外転する支柄▲２１▼先の衛星小ギャ（軸が▲３０▼で半径０・５）をチェーンで引くとき、▲２０▼軸小ギャにモーメントとピッチが  ２・５＋０・５＝３  の右まわり自転力を与えつつ半径３の車軸サンギャに巻制すれば、右から左に▲１１▼を公転させ（公転力計は  ３／０・５＝６×２・５≡１５  ）つつ、加力ギャ▲５▼等は停止したままでよいことになる。  ところで、▲２５▼を内歯車▲４５▼′（補輪をつけた平歯車でもよい）にして支柄先▲４０▼に４倍の力をつたえ、▲２０▼小ギャピッチを  ０・５＋３×２・５＝８  にし、半径４のサンギャ▲４５▼で２倍ピッチの巻制による▲５０▼軸の公転力を加え、計算公転力を８倍の（１２０）にさせることもできる。但し、加力法は半径３のギャとチェーンを2005057976.tif 000002
軸に車軸求心加力の正転側を半径４固定ギャで反転（ピッチ８）させる方法もある。  以上の原調転力を半径０・５で２倍にしつつ、▲６０▼▲７０▼の添調転軸で  ２×２×４＝１６倍＋６×３×４・５＝８１倍≡９７倍に増大させられ、計算回転力を１万倍以上にもさせられる。但し原調転の原回転数をふやすが、別大サンギャを大きくするだけで構成部品数などを節約させられる。  さて、原添調転セットの正転力を大きくさせるには、加力等を大きくさせながら調転比も大きくし、セットの組合せ方やマサツ等の損失力を最小にすることはもちろんで、セットの水平垂直の組合せや各軸にベァリング（軸に平行や直角等）をつけながら斜損失力等を防止させる必要となる。なお、主柄等にターンバックル等をとりつけたり、加力テコ等にもバネやフリーギャ等をとりつけられるとよい。  〔発明の実施の形態〕  動力をとりだすには、車軸につけたギャ等で伝達させることはもちろん。  もし、必要なときは本セットを組合せつつ共通加力にしたり、リモコン可能でももちろん。  〔実施例〕  発電機のモーターをはじめ、地海空の回転動力等。  〔発明の効果］  本装置は古典エネルギーの次元を超え、停止加力のまま永続回転力を得て燃料資源等を節約させ、排気や恐ろしい放射能等の諸公害も無用できる。
【図面の簡単な説明】
【図１】は巻制調転久車の透視平面図。上記中の線の説明  （１）実線は主・支柄と各軸心（ベアリング心含む）、加力テコ先（ギャ縁突起含む）を示す。（２）一点鎖線はピッチ円線でスプロケット等と平歯車を示す。（３）破線はチェーン（サイレント含む）等を示す。略語等の説明  （１）セットは  原・添・諸部分と全体の装置を示す。（２）ギャは  スプロケット等と平歯車等を示す。
【符号の説明】
▲３▼  加力テコ先▲５▼  加力ギャ（半径３）2005057976.tif 000003
▲１０▼  車軸▲１１▼  主柄▲１５▼▲１０▼に固定するサンギャ（半径３）▲２０▼  主遊（惑）星ギャ軸▲２１▼  支柄▲２５▼▲２０▼に固定するサンギャ▲３０▼▲２５▼に外転する小衛星軸▲４０▼▲２０▼に固定する内歯車に内転する衛星軸2005057976.tif 000004
▲４１▼  別支柄▲４５▼  半径４の固定ギャ▲４５▼′▲４０▼を内転させる内歯車▲５０▼▲４５▼に内転する正転ギャ軸▲５５▼別加力ギャ▲６０▼  添調転内軸▲７０▼  添調転外軸
【図１】
2005057976.tif 000005
(57)【要約】【課題】  建築物の屋内配線工事で、電気配線を結線する場合において、誤結線等のおそれがなく、容易で作業効率のよい電気配線結線箱を提供する。【解決手段】  絶縁体で形成した器体（図１のＡ）内部に回路（一つの照明器具を１ヵ所のスイッチでオン・オフさせる片切回線、一つの照明器具を２ヵ所のスイッチでオン・オフさせる三路回線、電源出力となるコンセント回線及び電源送り配線用接続部）を予め構成させ、差込むだけで接続されるコネクタ状の各接続部分（図１のＢＣＤＥＦＧＨ）を備えているため、各電気配線を接続部分へ差込むだけで回路結線を容易に完成させる事ができる。【選択図】図１
2005057979.tif 000002
【特許請求の範囲】
【請求項１】
絶縁体で形成した器体内部に回路（一つの照明器具を１ヵ所のスイッチでオン・オフさせる片切回線、一つの照明器具を２ヵ所のスイッチでオン・オフさせる三路回線）を予め構成させ、差込むだけで接続されるコネクタ状の各接続部分（電源入力配線用、照明器具配線用、スイッチ配線用）を具備する事を特徴とする電気配線結線箱。
【請求項２】
請求項１記載の電気配線結線箱の器体内部に電源出力となる回路（コンセント回線及び電源出力送り配線用接続部）を予め構成させ、差込むだけで接続されるコネクタ状の各接続部分（コンセント配線用及び電源出力送り配線用）を具備する事を特徴とする電気配線結線箱。
【発明の詳細な説明】
【技術分野】
【０００１】  本発明は、建築物の屋内配線工事で電気配線を結線するための電気配線結線箱に関するものである。
【背景技術】
【０００２】  本発明以前は、電源入力配線から照明器具とスイッチ及びコンセントの電気配線を電気工事士等の技術者の手により、接続コネクタや圧着接続子といった接続部材を用いて回路のオン・オフや連続した複数の回路構成を考えた結線を行っていた。
【発明の開示】
【発明が解決しようとする課題】
【０００３】  このため、電気工事士等の技術者といえども、連続した複数の回路構成を考えながら結線を行う事は技術的に難易であり、作業効率が低いばかりか誤結線や接続不良を起こす事もあった。
【課題を解決するための手段】
【０００４】  本発明は、絶縁体で形成した器体内部で回路（一つの照明器具を１ヵ所のスイッチでオン・オフさせる片切回線、一つの照明器具を２ヵ所のスイッチでオン・オフさせる三路回線、電源出力となるコンセント回線及び電源出力送り配線用接続部）を予め構成させ、差込むだけで接続されるコネクタ状の各接続部分（電源入力配線用、照明器具配線用、スイッチ配線用、コンセント配線用及び電源出力送り配線用）を備えているため、各電気配線を差込むだけで回路結線を容易に完成させる事ができる。
【発明の効果】
【０００５】  本発明は、器体内部で回路が予め構成されているため、電源入力と照明器具とスイッチ及びコンセントからの電気配線を各接続部分へ差込むだけで回路結線が完成するため、誤結線や接続不良の心配が無く、作業効率の良い結線ができる。また、電源出力として送り配線用接続部分を設けているため、連続した複数回路の施工も容易であり、このため、作業時間の短縮や人数の圧縮が可能となるため、収益性も必然的に高まるものと考える。
【発明を実施するための最良の形態】
【０００６】  絶縁体で形成した器体（図１のＡ）内部で回路（一つの照明器具を１ヵ所のスイッチでオン・オフさせる片切回線、一つの照明器具を２ヵ所のスイッチでオン・オフさせる三路回線、電源出力となるコンセント回線及び電源出力送り配線用接続部）を予め構成させ、各接続部分（図１のＢＣＤＥＦＧＨ）は、電気配線を差込むだけで接続されるコネクタ状に形成されている。
【実施例１】
【０００７】  結線方法は、電源入力配線を接続部分Ｂへ差込み、一つの照明器具を１ヵ所のスイッチでオン・オフさせる片切回線の場合、照明器具からの配線を接続部分Ｅへ差込み、片切スイッチからの配線を接続部分Ｆへ差込むだけで結線できる。また、２ヵ所のスイッチでオン・オフ操作できる三路回線の場合、照明器具の配線を接続部分Ｇへ差込み、三路スイッチからの配線をそれぞれの接続部分Ｈへ差込むだけで結線できる。なお、コンセントへの配線は接続部分Ｄへ差込む。さらに、接続部分Ｃに差込んだ配線は電源出力送り配線となるため、連続した複数の回路を構成する事ができる。
【図面の簡単な説明】
【０００８】
【図１】回路構成を示す平面図である。
【符号の説明】
【０００９】Ａ…器体
Ｂ…電源入力配線用接続部分
Ｃ…電源出力送り配線用接続部分
Ｄ…コンセント配線用接続部分
Ｅ…片切回線の照明器具配線用接続部分
Ｆ…片切スイッチ配線用接続部分
Ｇ…三路回線の照明器具配線用接続部分
Ｈ…三路スイッチ配線用接続部分
2005057979.tif 000003
【図１】
2005057979.tif 000004